(57)【要約】    【課題】人による残像感の官能検査を、より短時間で且つより良い評価精度で安定して得られるようにする。    【解決手段】  テストパターン表示部２８は、評価対象となる液晶テレビ１６に、時間の経過に対し移動速度が加速度的に増加する加速テストパターンと、時間の経過に対し移動速度が加速度的に減少する減速テストパターンを順次表示する。判定操作検出部３２は、加速テストパターンを見ている評価者が残像感が発生したと判定した際の判定入力機器２０からの発生操作信号と、減速テストパターンを見ている評価者が残像感が終止したと判定した際の終止操作信号を検出する。判定速度検出部３４は発生操作信号を検出した時の加速テストパターンの移動速度を残像感発生速度として検出すると共に、終止操作信号を検出した時の減速テストパターンの移動速度を残像感終止速度として検出し、残像感発生速度と残像感終止速度の平均速度を算出して残像感判定速度を検出する。    【選択図】      図１
2008042371.tif 000002
【特許請求の範囲】
【請求項１】
評価対象となる表示装置に、時間の経過に対し移動速度が加速度的に変化するテストパターンを表示するテストパターン表示ステップと、
前記テストパターンを見ている評価者が残像感を判定した際の判定操作信号を検出する判定操作検出ステップと、
前記判定操作信号を検出した時の前記テストパターンの移動速度を残像感判定速度として検出する判定速度検出ステップと、
を備えたことを特徴とする画質評価方法。
【請求項２】
請求項１記載の画質評価方法に於いて、
前記テストパターン表示ステップは、時間の経過に対し移動速度が加速度的に増加する加速テストパターンと、時間の経過に対し移動速度が加速度的に減少する減速テストパターンを順次表示し、
前記判定操作検出ステップは、前記加速テストパターンを見ている評価者が残像感が発生したと判定した際の発生操作信号と、前記減速テストパターンを見ている評価者が残像感が終止したと判定した際の終止操作信号を検出し、
前記判定速度検出ステップは、前記発生操作信号を検出した時の前記加速テストパターンの移動速度を残像感発生速度として検出すると共に、前記終止操作信号を検出した時の前記減速テストパターンの移動速度を残像感終止速度として検出し、前記残像感発生速度と残像感終止速度の平均速度として前記残像感判定速度を算出することを特徴とする画質評価方法。
【請求項３】
請求項１記載の画質評価方法に於いて、更に、前記テストパターン表示ステップは、前記判定速度検出ステップで検出された残像感判定速度を中心に所定幅に絞り込んだ速度範囲を設定し、前記速度範囲内で時間の経過に対し移動速度がより低い加速度で変化するテストパターンを表示して前記判定操作検出ステップ及び判定速度検出ステップの処理を繰り返すことを特徴とする画質評価方法。
【発明の詳細な説明】
【技術分野】
【０００１】
本発明は、液晶テレビ等の表示装置における画質評価方法，プログラム及び装置に関し、特に、応答速度に起因した移動画像の残像感を評価する画質評価方法、プログラム及び装置に関する。
【背景技術】
【０００２】
従来、液晶テレビに代表される薄型テレビの高画質化を図るため、様々な画質改善技術が開発されており、これに対し画質改善の度合いを客観的に評価する手法が求められている。
【０００３】
薄型テレビに使用される液晶パネルは応答速度が遅いという特性があり、動きの速い映像の残像感が問題とされている。動きのある映像の評価は静止画の評価より一般に難しく、客観的な評価方法が求められている。
【０００４】
液晶パネルの応答性能を測定する方法として、ＭＰＲＴ法（Ｍｏｖｉｎｇ  Ｐｉｃｔｕｒｅ  Ｒｅｓｐｏｎｓｅ  Ｔｉｍｅ）による応答速度測定装置がある。ＭＰＲＴ法は図１２のように、縦縞模様のテストパターンの横スクロール表示をカメラで追尾し、撮像した表示画像１０２の輝度分布１０４を求め、黒レベルから白レベルへ変化している時間を評価時間Ｔとして測定する。この評価時間Ｔは液晶パネルの応答時間に対応しており、評価時間が短いほど応答時間が短く、残像感が少ないと推測することができる。
【特許文献１】特開２００４−１４４８３１号公報
【発明の開示】
【発明が解決しようとする課題】
【０００５】
しかしながら、このような従来のＭＰＲＴ法による応答速度測定装置は、動きのある映像に対する液晶パネルの応答時間を客観的に検出することができるが、装置で測定した評価時間は必ずしも人間の目で感知する残像感とは一致せず、評価時間から残像感があると推定しても、人間の目では残像感を感じない場合もあり、人の目により残像感の有無を判断する官能検査が必要となる。
【０００６】
残像感の官能検査方法としては、移動速度が一定のパターンを人に見せ、残像感発生の有無を判断させればよい。しかし、この方法は、異なる移動速度をもつ何種類かのパターンにつき、それぞれ複数回移動パターンの映像を見せて検査する必要があるため、測定時間が長くなると共に、微妙な移動速度の変化では人による判定が不安定になるという問題があった。
【０００７】
本発明は、人による残像感の官能検査を、より短時間で且つより良い評価精度で安定して得られるようにする画質評価方法、装置及びプログラムを提供することを目的とする。
【課題を解決するための手段】
【０００８】
本発明は画質評価方法を提供する。本発明の画質評価方法は、
評価対象となる表示装置に、時間の経過に対し移動速度が加速度的に変化するテストパターンを表示するテストパターン表示ステップと、
テストパターンを見ている評価者が残像感を判定した際の判定操作信号を検出する判定操作検出ステップと、
判定操作信号を検出した時のテストパターンの移動速度を残像感判定速度として検出する判定速度検出ステップと、
を備えたことを特徴とする。
【０００９】
ここで、テストパターン表示ステップは、時間の経過に対し移動速度が加速度的に増加する加速テストパターンと、時間の経過に対し移動速度が加速度的に減少する減速テストパターンを順次表示し、
判定操作検出ステップは、加速テストパターンを見ている評価者が残像感が発生したと判定した際の発生操作信号と、減速テストパターンを見ている評価者が残像感が終止したと判定した際の終止操作信号を検出し、
判定速度検出ステップは、発生操作信号を検出した時の加速テストパターンの移動速度を残像感発生速度として検出すると共に、終止操作信号を検出した時の減速テストパターンの移動速度を残像感終止速度として検出し、記残像感発生速度と残像感終止速度の平均速度として残像感判定速度を算出する。
【００１０】
更に、テストパターン表示ステップは、判定速度検出ステップで検出された残像感判定速度を中心に所定幅に絞り込んだ速度範囲を設定し、この速度範囲内で時間の経過に対し移動速度がより低い加速度で変化するテストパターンを表示して判定操作検出ステップ及び判定速度検出ステップの処理を繰り返す。
【００１１】
テストパターン表示ステップは、テストパターンの移動速度を時間の経過に対し等加速度で変化させる。
【００１２】
判定操作検出ステップは、テストパターンの表示終了までに残像感の発生操作信号が検出されなかった場合、テストパターン表示ステップの表示処理をリトライさせる。
【００１３】
本発明は、画質評価装置のコンピュータにより実行される画質評価プログラムを提供する。本発明の画質評価プログラムは、画質評価装置のコンピュータに、
評価対象となる表示装置に、時間の経過に対し移動速度が加速度的に変化するテストパターンを表示するテストパターン表示ステップと、
テストパターンを見ている評価者が残像感を判定した際の判定操作信号を検出する判定操作検出ステップと、
判定操作信号を検出した時のテストパターンの移動速度を残像感判定速度として検出する判定速度検出ステップと、
を実行させることを特徴とする。
【００１４】
本発明は画質評価装置を提供する。本発明の画質評価装置は、
評価対象となる表示装置に、時間の経過に対し移動速度が加速度的に変化するテストパターンを表示するテストパターン表示部と、
テストパターンを見ている評価者が残像感を判定した際の判定操作信号を検出する判定操作検出部と、
判定操作信号を検出した時の前記テストパターンの移動速度を残像感判定速度として検出する判定速度検出部と、
を備えたことを特徴とする。
【発明の効果】
【００１５】
本発明によれば、液晶テレビに動きのある映像を表示した際の人の目で見た残像感の評価を、より短時間で且つより良い評価精度で安定して得ることができる。
【００１６】
動画の残像感の有無を、例えば白黒のくっきりしたパターンが一定速度で動くという動画のテストパターンで評価しようとすると、これはある単純な１つのテストパターンに対する「残像感の有無」という絶対評価であり、この場合、比較する対象がないため、かえって判定に迷う場合が多い。
【００１７】
これに対し本発明の画質評価方法は、静止状態から動きだし、次第に移動速度が速くなるといった連続的に速度が変化する動画のテストパターンであり、途中のある速度において「ここから残像感が出始める」という判定が可能である。これは速度の時間変化に対する相対評価ということであり、単純な絶対評価より残像感の有無を判断しやすい。
【００１８】
また、より精度の高い測定を行うためには、表示装置のレイテンシや、評価者の反応時間などの遅延要因をキャンセルする必要がある。このため本発明にあっては、加速度絶対値が等しい加速テストパターンと減速テストパターンとを組み合わせ、加速テストパターンについては残像感が発生する発生移動速度を求め、一方、減速テストパターンについては残像感が消える終止移動速度を求め、両者の平均速度を残像感の判定速度として検出する。
【００１９】
この場合、加速と減速の局面において遅延要因が一定ならば、遅延要因による残像感速度測定値の偏差の絶対値は等しくなり、両測定値を加算平均することによって、遅延要因の影響を相殺できる。
【００２０】
更に、より精度の高い測定を行うためには、テストパターンの加速度の絶対値を下げて、動画のテストパターンの変化を緩やかにすればよい。しかし、この方法は測定時間を延ばすことになる。そこで本発明は、最初から低加速度での測定を行わず、まず先に高加速度のテストパターンによる大まかな測定を行い、得られた残像感の判定速度を中心とする狭い速度範囲に絞り込んで低加速度のテストパターンによる詳細測定を行い、段階的な測定処理によって残像感を示す判定速度の測定精度を高めることができる。
【発明を実施するための最良の形態】
【００２１】
図１は本発明による果実評価装置の実施形態を示した画質評価環境の説明図である。図１において、本実施形態の画質評価を行う部屋や設備を画質評価環境１０としており、画質評価環境１０には本実施形態の画質評価装置１２、画質評価に使用するテストパターンを発生するパターンジェネレータ１４及び、評価対象となる表示装置である液晶テレビ１６が設けられ、液晶テレビ１６は液晶パネル１８を備えている。
【００２２】
また本実施形態の画質評価は評価者２２が目で見て評価するものであり、評価者２２の評価判断を画質評価装置１２に入力するため判定入力機器２０が設けられている。液晶テレビ１６に対する評価者２２の位置は、例えば液晶パネルの前方２．０メートルというように測定条件を決めている。
【００２３】
判定入力機器２０としては、画質評価装置１２として例えばパーソナルコンピュータを使用した場合にはキーボードやマウスなどが使用でき、また専用の押ボタン装置を使用することもできる。
【００２４】
画質評価環境１０に設置された画質評価装置１２に対しては、外部に設けたホスト２４がネットワークを介して接続されており、画質評価装置１２で評価された評価結果はホスト２４に送られてデータベースなどに格納される。
【００２５】
画質評価装置１２には、制御部２６、テストパターン表示部２８、テストパターン管理テーブル３０、判定操作検出部３２及び判定速度検出部３４が設けられている。
【００２６】
テストパターン表示部２８は、評価対象となる液晶テレビ１６に対しパターンジェネレータ１４を使用して、時間の経過に対し移動速度が加速度的に変化する白黒動画パターンなどのテストパターンを表示する。
【００２７】
テストパターン表示部２８で使用するテストパターンの情報は、テストパターン管理テーブル３０に例えばホスト２４からの転送により格納されており、テストパターン管理テーブル３０の中から必要なテストパターンを選択して、テストパターン表示部２８によりパターンジェネレータ１４を制御して液晶テレビ１６に表示させる。
【００２８】
テストパターン表示部２８は、本実施形態にあっては、時間の経過に対し移動速度が等加速度で増加する加速テストパターンと、時間の経過に対し移動速度が同じ等加速度で減少する減速テストパターンを組み合わせて表示する。この加速テストパターン及び減速テストパターンの組合せは、テストパターン管理テーブル３０から選択して表示させる。
【００２９】
図２は図１の画質評価装置１２に設けたテストパターン管理テーブル３０の説明図である。テストパターン管理テーブル３０には、パターンＩＤ、被験者ＩＤ、加速度、開始速度、終了速度、更に評価者２２による残像感の判定速度の項目が設けられ、また必要に応じて、その他の条件として評価者の観察距離などを含む環境条件などを格納できる。
【００３０】
テストパターン表示部２８は、テストパターン管理テーブル３０における例えばパターンＩＤ＝００１，００２の加速テストパターンと減速テストパターンの組を使用して、評価者２２に残像感の評価測定処理を行わせる。
【００３１】
パターンＩＤ＝００１は加速テストパターンであり、加速度は＋α１であり、開始速度Ｖｓ１は０であり、終了速度Ｖｅ１は移動速度の所定の上限値となる。一方、パターンＩＤ＝００２は減速テストパターンであり、加速度は−α１と、加速テストパターンが絶対値が同じである。開始速度Ｖｓ２は加速テストパターンの終了速度Ｖｅ１と同じ値であり、終了速度Ｖｅ２は０である。
【００３２】
ここでテストパターン管理テーブル３０に登録されている開始速度、終了速度、更に判定速度の単位は、評価対象となる液晶テレビ１６の液晶パネル１８における単位時間当たりのピクセル数、即ち［ピクセル／ｓｅｃ］の単位としている。
【００３３】
再び図１を参照するに、判定操作検出部３２は、液晶テレビ１６の液晶パネル１８に表示するテストパターンを見ている評価者２２が残像感を判定した際に判定入力機器２０を操作することで出力される判定操作信号を入力して検出し、検出出力を判定速度検出部３４に供給する。
【００３４】
本実施形態においては加速テストパターンと減速テストパターンの組を使用することから、判定操作検出部３２は、加速テストパターンを見ている評価者２２が残像感が発生したと判定した際に判定入力機器２２を操作した際の発生操作信号と、続いて表示される減速テストパターンを見ている評価者２２が残像感が終止したと判定した際の終止操作信号を検出し、それぞれ検出結果を判定速度検出部３４に出力する。
【００３５】
図３は本実施形態で使用するテストパターンと表示画像の説明図である。図３において、テストパターン３６は、例えば静止状態から一定加速度で移動速度が増加する白黒パターンであり、矢印で示す右方向に静止状態から移動速度が加速度的に増加するパターンとなる。
【００３６】
このテストパターン３６を評価対象としての液晶テレビ１６に表示すると、液晶パネル１８上の表示画像３８は右側に示すようになり、テストパターンの表示画像３８の移動速度がある速度を超えると、評価者２２から見て白黒パターンの境界が失われてブレたように見え、この白黒境界のブレを認識した時点で、残像感を認識したとして判定入力機器２０の入力操作を行うことになる。
【００３７】
再び図１を参照するに、画質評価装置１２に設けた判定速度検出部３４は、判定操作検出部３２で評価者２２が操作した判定操作信号を検出したときのテストパターンの移動速度を残像感判定速度として検出する。
【００３８】
本実施形態にあっては加速テストパターンと減速テストパターンを組み合わせて表示していることから、判定速度検出部３４は判定操作検出部３２から加速テストパターンを見て入力した発生操作信号を検出したときの加速テストパターンの移動速度を残像感発生速度として検出し、続いて行われる減速テストパターンを見て入力される終止操作信号を検出したときの減速テストパターンの移動速度を残像感終止速度として検出し、このようにして検出した残像感発生速度と残像感終止速度の平均速度を算出して残像感判定速度を検出する。
【００３９】
図４は本実施形態で使用する加速テストパターンと減速テストパターンの経過時間に対する速度変化を示した特性説明図である。図４（Ａ）は加速テストパターンの加速特性４０であり、時刻ｔ０でテストパターンの発生を開始すると、移動速度０から例えば一定加速度α１で移動速度が加速特性４０に示すように直線的に増加する。
【００４０】
このような加速特性４０に従ったテストパターンの表示中に、評価者が白黒パターンの境界に残像感としてのブレの発生が起きたとき、押ボタンなどの判定入力機器２０を操作して残像感発生操作信号を入力すると、時刻ｔ２で発生操作信号の検出に基づき、そのときの残像感発生判定点４２の速度が残像感発生速度Ｖ１として検出される。加速特性４０を持つ加速テストパターンは、時刻ｔ３で終了速度Ｖ１に達すると、パターン発生を停止する。
【００４１】
次に図４（Ｂ）に示す減速特性４４を持った減速テストパターンを発生する。減速テストパターンは減速特性４４に示すように、発生時刻ｔ４で図４（Ａ）の加速特性４０における終了速度Ｖｅ１に等しい開始速度Ｖｓ２の移動速度から一定加速度α１で減少する減速特性４４に従ったテストパターンを表示する。
【００４２】
この減速テストパターンは、最初、速度が高いことから、移動する白黒パターンの境界部分にブレを生じて残像感を評価者は判定しているが、徐々に移動速度が低下することで、途中で白黒境界のブレがなくなって残像感が消滅するタイミングがあり、このとき評価者２２は判定入力機器２０の押ボタン操作を行うことで、例えば時刻ｔ５で残像感が消滅した終止操作信号が検出され、残像感終止判定点４６に対応した速度が残像感終止速度Ｖ２として検出される。
【００４３】
この図４（Ａ）（Ｂ）のように、加速テストパターン及び減速テストパターンの組合せにより評価者が、残像感が発生した残像感発生速度Ｖ１と残像感が消滅した残像感終止速度Ｖ２を検出できたならば、両者の平均値を算出して残像感判定速度Ｖを求める。
【００４４】
Ｖ＝（Ｖ１＋Ｖ２）／２
このように加速テストパターンと減速テストパターンを組み合わせ、残像感が発生したときの速度と残像感が消失したときの速度を求めて、その平均値から残像感の判定速度を検出することで、図１の評価対象となる液晶テレビ１６におけるパターンジェネレータ１４からテストパターンを入力してから表示するまでのレイテンシや、評価者２２が残像感の発生または消失を認識してから判定入力機器２０の操作を行うまでの反応時間などによる遅延要因をキャンセルすることができる。
【００４５】
図５は本実施形態による加速テストパターンと減速テストパターンの組合せによる遅延操作の説明図である。図５は、図４（Ａ）の加速テストパターンの加速特性４０と図４（Ｂ）の減速テストパターンの減速特性４４を１つの特性図で示しており、時刻ｔ１〜ｔ３が加速テストパターンの発生であり、逆方向の時刻ｔ４〜ｔ６が減速テストパターンの発生である。
【００４６】
加速特性４０上には、加速テストパターンから判定された残像感発生判定点４２と減速テストパターンから判定された残像感終止判定点４６がプロットされ、両者の速度Ｖ１，Ｖ２の平均値として、残像感判定点４８の速度Ｖが求められている。
【００４７】
ここで、最終的に求めた残像感判定点４８の時刻ｔｘのタイミングが表示装置のレイテンシや評価者の反応時間による遅延要素のない正しい判定点であったとすると、実際の加速テストパターン及び減速テストパターンを表示した評価者の際には、加速テストパターンについては判定点４８から遅延要因だけ遅れて判定点４２が残像感発生判定点として検出され、一方、減速テストパターンについては加速時と全く遅延条件が同じだったとすると、判定点４８から同じ遅延時間の遅れをもって残像感消失判定点４６が得られる。
【００４８】
したがって、正しい判定点４８に対し実際に検出された判定点４２，４６は、±ΔＴの遅延時間を持っており、加速時の判定点４２と減速時の判定点４６の速度Ｖ１，Ｖ２の平均値として判定点４８の速度Ｖを求めれば、液晶テレビ１６のレイテンシや評価者２２の反応時間などの遅延要因をキャンセルした正しい残像感判定速度Ｖを検出することができる。
【００４９】
実際の残像感測定処理の際には、１回の加速テストパターンと減速テストパターンの発生による測定では必ずしも精度の高い測定結果が得られないことから、複数回、加速テストパターンと減速テストパターンの組合せによる測定処理を繰り返し、その平均値として残像感判定速度を求めることが望ましい。
【００５０】
また評価者２２にあっては、テストパターンの移動中に残像感の発生または残像感の終止を見逃して判定入力操作ができない場合もあることから、テストパターンの発生中に判定入力機器２０から判定操作信号が得られない場合には評価失敗とみなして、リトライ処理により再度、同じテストパターンを発生して、判定入力が得られるようにしている。
【００５１】
図６は本実施形態の機能を実現する画質評価プログラムが実行されるコンピュータのハードウェア環境のブロック図である。図１の画像評価装置１２の機能は、本実施形態の残像感測定のための画質評価プログラムをパーソナルコンピュータで実行することにより実現される機能であり、このため画質評価装置１２としては、図６のようなコンピュータのハードウエア環境により画質評価プログラムを実行することになる。
【００５２】
図６において、ＣＰＵ５０のバス５２に対しては、ＲＡＭ５４、ＲＯＭ５６、ハードディスクドライブ５８、及びキーボード６２，マウス６４，ディスプレイ６６を接続するデバイスインタフェース６０、更にネットワークアダプタ６８が接続されている。
【００５３】
ハードディスクドライブ５８には、本実施形態の画質評価処理を行う画質評価プログラム（残像感測定プログラム）がインストールされている。コンピュータを起動すると、ＲＯＭ５６のブートプログラムの実行により、ハードディスクドライブ５８からＯＳがＲＡＭ５４に読み出され、ＯＳが起動すると、続いてハードディスクドライブ５８から本実施形態の画質評価プログラムがＲＡＭ５４に読み出され、ＣＰＵ５０により実行されることになる。
【００５４】
図７は本実施形態による残像感測定処理のフローチャートであり、図１の実施形態を参照して説明すると次のようになる。
【００５５】
測定処理に際しては、まずステップＳ１でホスト２４からの指示により測定対象とする液晶テレビ１６に対する表示解像度の設定を行い、更にステップＳ２でテストパターン管理テーブル３０に対するテストパターンの登録を行い、例えば図２に示した内容を持つテーブル登録を行う。
【００５６】
このようにして測定処理の準備が完了したならば、評価者２２を液晶テレビ１６の前に座らせ、判定入力機器２０を手元に置いて残像感測定のための評価操作ができるようにする。この場合、画質評価装置１２にはオペレータが付いており、評価者２２に測定開始を伝えて画質評価装置１２の制御部２６により測定処理を開始すると、ステップＳ３で例えば図２のテストパターン管理テーブル３０から選択されたパターンＩＤ＝００１の加速テストパターンの表示指示がパターンジェネレータ１４に対し出力される。
【００５７】
このためパターンジェネレータ１４は加速度＋α１で開始速度Ｖｓ１＝０、即ち静止状態から、終了速度Ｖｅ１まで変化する加速テストパターンを発生し、液晶テレビ１６の液晶パネル１８に表示させる。
【００５８】
この加速テストパターンの表示により、液晶パネル１８の表示画面には最初、白黒パターンの静止画像が表示されているが、時間の経過に伴い、この白黒パターンが一方向に移動を開始し、その移動速度が等加速度で増加し、ある速度を超えると、評価者２２から見て白黒パターンの境界にブレを生ずる残像感の発生を認識できる。
【００５９】
図７の処理にあっては、ステップＳ４でテストパターン表示終了か否かチェックし、表示終了でなければ、ステップＳ５で評価者２２による残像感発生検出の操作検出あるか否か判別しており、残像感発生の操作検出を判別すると、ステップＳ６で、そのときのパターン移動速度Ｖ１を読み込む。
【００６０】
なお加速テストパターンの表示中にステップＳ５で残像感発生の操作検出が行われずに、ステップＳ４でテストパターン表示終了となった場合には、評価者２２による評価失敗であることから、ステップＳ１４でリトライ処理とし、再びステップＳ３に戻り、同じ加速テストパターンの表示を行う。
【００６１】
続いてステップＳ７で減速テストパターンを表示する。この減速テストパターンは、例えば図２のパターンＩＤ＝００２であり、加速テストパターンと同じ負の加速度−α１であり、開始速度Ｖｓ２は加速テストパターンの終了速度Ｖｅ１と同じ速度であり、終了速度Ｖｅ２は０である。
【００６２】
即ち減速テストパターンの表示にあっては、図１の液晶テレビ１６の液晶パネル１８に最初、高速移動する白黒パターンが表示され、この状態で白黒パターンの境界がブレた残像感が発生しているが、移動速度が等加速度的に減少することで、ある速度に低下したときにブレが消失して残像感がなくなり、このタイミングで評価者２２は判定入力機器２０の入力操作を行う。
【００６３】
ステップＳ７の減速テストパターンの表示中にあっては、ステップＳ８でテストパターン表示終了か否かチェックしており、未終了であれば、ステップＳ９で残像感終止の操作検出があるか否か判定しており、操作検出ありを判定すると、ステップＳ１０に進み、そのときの減速テストパターンのパターン移動速度Ｖ２を読み込む。
【００６４】
なお減速テストパターンの表示中にあっても、ステップＳ９で残像感終止の操作検出が行われる前に、ステップＳ８でテストパターン表示終了となった場合には、評価失敗であることから、ステップＳ１５でリトライ処理として再度、ステップＳ７で同じ減速テストパターンを表示させる。
【００６５】
ステップＳ１０で減速テストパターンについてパターン移動速度Ｖ２の読込みができたならば、ステップＳ１１に進み、測定回数は予め定めたＮ回に達したか否かチェックし、Ｎ回未満であれば再びステップＳ３に戻り、加速テストパターンと減速テストパターンの組合せによる残像感の測定処理を繰り返す。なお、加速テストパターンと減速テストパターンによる測定回数の繰返しは、同じテストパターンを使用した繰返しであってもよいし、異なったテストパターンを使用した繰返しであってもよい。
【００６６】
ステップＳ１１で測定回数がＮ回に達したことが判別されると、ステップＳ１２に進み、それまで読み込まれたＮ回分の残像感発生速度Ｖ１と残像感消失速度Ｖ２の平均速度を算出し、これをステップＳ１３で残像感判定速度として出力する。具体的には、残像感判定速度Ｖは
【００６７】
【数１】
2008042371.tif 000003
で算出される。
【００６８】
このように本実施形態の残像感測定処理にあっては、例えば加速テストパターンにあっては、静止状態から動き出して次第に速度が速くなるといった連続的に速度が変化する動画パターンを見て、評価者が残像感として、ある速度からブレ始めるかどうかを判定しており、移動速度が異なる複数のパターンを順次切替表示して残像感を判定する場合に比べ、本実施形態の加速テストパターンによる判定は移動速度の時間変化に対する相対評価ということができ、移動速度が一定速度に決まった複数パターンからブレを判定するという単純な絶対評価に比べ、ブレの発生の有無を非常に判断し易い。
【００６９】
また同じ加速度の絶対値を持つ加速テストパターンと減速テストパターンを組み合わせて、それぞれ残像感発生時の速度と残像感消失時の速度を求めて平均値から残像感判定速度を検出することで、表示装置のレイテンシや評価者の反応時間などの遅延要因をキャンセルした精度の高い測定結果を得ることができる。
【００７０】
次に本発明の他の実施形態として、テストパターンを変化させる加速度を高加速度と低加速度の２段に分けて発生することで残像感判定速度の測定精度を高める実施形態を説明する。
【００７１】
図８は高加速度のテストパターンによる測定結果から速度範囲を絞り込む説明図である。図８（Ａ）（Ｂ）は、図４（Ａ）（Ｂ）に示したと同じ加速特性４０及び減速特性４４を持った加速テストパターン及び減速テストパターンの特性図であり、加速特性４０については評価者の残像感発生判定により残像感発生判定点４２の残像感発生速度Ｖ１が検出され、また図８（Ｂ）の減速特性４４については評価者による残像感消失の判定操作により残像感終止判定点４６の残像感終止速度Ｖ２がそれぞれ検出されている。
【００７２】
そこで本実施形態にあっては、図８の加速度±α１によるテストパターンの発生による測定を第１段階の測定とし、この第１段階の高加速度±α１で得られた残像感発生判定点４２及び残像感終止判定点４６の判定速度Ｖ１，Ｖ２を中心として、予め定めた所定値±ΔＶを持つ絞り込んだ速度範囲７０−１，７０−２を設定する。
【００７３】
そして、絞り込んだ速度範囲７０−１，７０−２につき、テストパターンの移動速度の加速度を、より小さな加速度に変更して測定することで、高精度の測定結果を得るようにしている。
【００７４】
図９は図８の第１段階の測定で絞り込んだ速度範囲７０−１，７０−２における低加速度テストパターンの特性図である。図９（Ａ）は低加速度の加速テストパターンの特性図であり、図８（Ａ）から絞り込まれた速度範囲７０−１につき、図８よりは低い加速度＋α１１で増加する加速特性７２を設定している。
【００７５】
この加速特性７２は速度範囲７０−１の下限速度（Ｖ１−ΔＶ）を開始速度とし、上限の（Ｖ１＋ΔＶ）を終了速度としている。そして狭い速度範囲７０−１につき、例えば図８と同じ時刻ｔ１〜ｔ３に亘って変化する加速特性７０−２を設定することで、画面表示する白黒パターンの移動速度の増加割合を少なくし、これによって評価者は時刻ｔ１２で白黒パターンの境界にブレを認識した際の残像感の発生を容易に把握して残像感発生判定点４２−１を特定し、これに対応した残像感発生検出速度Ｖ１を検出することができる。
【００７６】
図９（Ｂ）の減速特性７４についても同様であり、図８（Ｂ）で絞り込まれた速度範囲７０−２につき、開始速度を（Ｖ２＋ΔＶ）として、図９（Ａ）と絶対値が同じ低い加速度−α１１で変化する減速テストパターンを終了速度（Ｖ２−ΔＶ）となる下限速度に達するまで発生し、テストパターンの移動速度の減少する加速度が小さいことから、評価者は白黒パターンの境界にブレがなくなる残像感の消失を正確に判定して、時刻ｔ５で残像感終止判定点４６−１に対応した残像感終止速度Ｖ２を正確に求めることができる。
【００７７】
そして、図９（Ａ）（Ｂ）の低加速度によるテストパターンの移動速度の変化から正確に検出した残像感発生速度Ｖ１と残像感終止速度Ｖ２の平均速度として残像感判定速度Ｖを算出することで、より高精度の残像感の判定速度を検出することができる。
【００７８】
図１０及び図１１は、図８及び図９に示した加速度を高低２段階に切り替えてテストパターンを発生して残像感判定速度を測定する実施形態のフローチャートである。図１０のステップＳ１〜Ｓ１０の処理は、図７のステップＳ１〜Ｓ１０の処理と同じ処理である。なおステップＳ１１，Ｓ１２のリトライ処理は、図７のステップＳ１４，Ｓ１５のリトライ処理と同じである。この図１０のステップＳ３〜Ｓ１０が、高加速度を使用した第１段階の測定処理となる。
【００７９】
続いて図１１のステップＳ１３に進み、加速テストパターンと減速テストパターンのそれぞれにつき絞り込んだ速度範囲を図９（Ａ）（Ｂ）のように設定した後、ステップＳ１４〜Ｓ１８で、図９（Ａ）のように速度範囲７０−１を対象に低加速度の加速テストパターンを発生して、残像感発生の操作検出があったときのパターン移動速度Ｖ１１を読み込む。なおステップＳ２５は、残像感の評価に失敗した場合のリトライ処理である。
【００８０】
続いてステップＳ１９〜Ｓ２２の処理により、図９（Ｂ）の速度範囲７０−２における減速テストパターンを発生し、残像感終止の操作検出ありのパターン移動速度Ｖ１２を読み込む。なおステップＳ２６は減速テストパターンの評価失敗時のリトライ処理となる。続いてステップＳ２２で測定回数がＮ回に達したか否かチェックし、Ｎ回未満であれば図１０のステップＳ３からの処理を繰り返す。
【００８１】
測定回数がＮ回に達したならば、ステップＳ２３で、ステップＳ１７及びステップＳ２１のそれぞれで読込み保持している低速度のテストパターンから求めたパターン移動速度Ｖ１１，Ｖ１２のＮ回分の平均により残像感判定速度を算出し、ステップＳ２４で、算出した残像感判定速度を測定結果として出力することになる。
【００８２】
ここで図１０，図１１の加速度を高低２段階に変化してテストパターンを発生する測定処理にあっては、ステップＳ６の残像感発生速度Ｖ１とステップＳ１０の残像感消失速度Ｖ２のそれぞれを中心に、図８（Ａ）（Ｂ）のように±ΔＶの速度範囲７０−１，７０−２を設定して、図１１のステップＳ１３からの低加速度のテストパターンによる測定処理を行っているが、高加速度のテストパターンの発生で求めた残像感発生移動速度Ｖ１と残像感消失速度Ｖ２の平均速度Ｖを求め、この平均速度Ｖを中心に±ΔＶの範囲に速度範囲を設定し、この速度範囲につき図９（Ａ）（Ｂ）のように低加速度の加速テストパターンと減速テストパターンを発生して高精度の測定を行うようにしてもよい。
【００８３】
また本発明は、図６に示したコンピュータのハードウェア環境により実行される画質評価プログラムそのものを提供するものであり、この画質評価プログラムは図７もしくは図１０及び図１１に示したフローチャートの内容を持つことになる。
【００８４】
また本発明は、図７もしくは図１０，図１１のフローチャートの内容を持つ画質評価プログラムを格納したコンピュータ読取可能な記憶媒体を提供する。記憶媒体には、ＣＤ−ＲＯＭ、フロッピィディスク（Ｒ）、ＤＶＤディスク、光磁気ディスク、ＩＣカードなどなどの可搬型記憶媒体や、コンピュータシステムの内外に備えられたハードディスクドライブなどの記憶装置の他、回線を介してプログラムを保持するデータベース、あるいは他のコンピュータシステム並びにそのデータベースや、更に回線上の伝送媒体を含むものである。
【００８５】
なお上記の実施形態にあっては、加速テストパターンと減速テストパターンを組み合わせて残像感判定速度を測定しているが、いずれか一方の速度パターン例えば加速テストパターンのみを使用した残像感判定速度の測定処理としてもよい。この場合には、表示装置のレイテンシや評価者の応答時間については、予め決めた固定値を使用して修正すればよい。
【００８６】
また本発明は、その目的と利点を損なうことのない適宜の変形を含み、更に上記の実施形態に示した数値による限定は受けない。
【００８７】
ここで本発明の特徴をまとめて列挙すると次の付記のようになる。
（付記）
（付記１）
評価対象となる表示装置に、時間の経過に対し移動速度が加速度的に変化するテストパターンを表示するテストパターン表示ステップと、
前記テストパターンを見ている評価者が残像感を判定した際の判定操作信号を検出する判定操作検出ステップと、
前記判定操作信号を検出した時の前記テストパターンの移動速度を残像感判定速度として検出する判定速度検出ステップと、
を備えたことを特徴とする画質評価方法。（１）
【００８８】
（付記２）
付記１記載の画質評価方法に於いて、
前記テストパターン表示ステップは、時間の経過に対し移動速度が加速度的に増加する加速テストパターンと、時間の経過に対し移動速度が加速度的に減少する減速テストパターンを順次表示し、
前記判定操作検出ステップは、前記加速テストパターンを見ている評価者が残像感が発生したと判定した際の発生操作信号と、前記減速テストパターンを見ている評価者が残像感が終止したと判定した際の終止操作信号を検出し、
前記判定速度検出ステップは、前記発生操作信号を検出した時の前記加速テストパターンの移動速度を残像感発生速度として検出すると共に、前記終止操作信号を検出した時の前記減速テストパターンの移動速度を残像感終止速度として検出し、前記残像感発生速度と残像感終止速度の平均速度として前記残像感判定速度を算出することを特徴とする画質評価方法。（２）
【００８９】
（付記３）
付記１記載の画質評価方法に於いて、更に、前記テストパターン表示ステップは、前記判定速度検出ステップで検出された残像感判定速度を中心に所定幅に絞り込んだ速度範囲を設定し、前記速度範囲内で時間の経過に対し移動速度がより低い加速度で変化するテストパターンを表示して前記判定操作検出ステップ及び判定速度検出ステップの処理を繰り返すことを特徴とする画質評価方法。（３）
【００９０】
（付記４）
付記１乃至３記載の画質評価方法に於いて、前記テストパターン表示ステップは、前記テストパターンの移動速度を時間の経過に対し等加速度で変化させることを特徴とする画質評価方法。
【００９１】
（付記５）
付記１記載の画質評価方法に於いて、前記判定操作検出ステップは、前記テストパターンの表示終了までに残像感の発生操作信号が検出されなかった場合、前記テストパターン表示ステップの表示処理をリトライさせることを特徴とする画質評価方法。
【００９２】
（付記６）
画質評価装置のコンピュータに、
評価対象となる表示装置に、時間の経過に対し移動速度が加速度的に変化するテストパターンを表示するテストパターン表示ステップと、
前記テストパターンを見ている評価者が残像感を判定した際の判定操作信号を検出する判定操作検出ステップと、
前記判定操作信号を検出した時の前記テストパターンの移動速度を残像感判定速度として検出する判定速度検出ステップと、
を実行させることを特徴とする画質評価プログラム。
【００９３】
（付記７）
付記６記載の画質評価プログラムに於いて、
前記テストパターン表示ステップは、時間の経過に対し移動速度が加速度的に増加する加速テストパターンと、時間の経過に対し移動速度が加速度的に減少する減速テストパターンを順次表示し、
前記判定操作検出ステップは、前記加速テストパターンを見ている評価者が残像感が発生したと判定した際の発生操作信号と、前記減速テストパターンを見ている評価者が残像感が終止したと判定した際の終止操作信号を検出し、
前記判定速度検出ステップは、前記発生操作信号を検出した時の前記加速テストパターンの移動速度を残像感発生速度として検出すると共に、前記終止操作信号を検出した時の前記減速テストパターンの移動速度を残像感終止速度として検出し、前記残像感発生速度と残像感終止速度の平均速度として前記残像感判定速度を算出することを特徴とする画質評価プログラム。
【００９４】
（付記８）
付記６記載の画質評価プログラムに於いて、更に、前記テストパターン表示ステップは、前記判定速度検出ステップで検出された残像感判定速度を中心に所定幅に絞り込んだ速度範囲を設定し、前記速度範囲内で時間の経過に対し移動速度がより低い加速度で変化するテストパターンを表示して前記判定操作検出ステップ及び判定速度検出ステップの処理を繰り返すことを特徴とする画質評価プログラム。
【００９５】
（付記９）
付記６乃至８記載の画質評価プログラムに於いて、前記テストパターン表示ステップは、前記テストパターンの移動速度を時間の経過に対し等加速度で変化させることを特徴とする画質評価プログラム。
【００９６】
（付記１０）
付記６記載の画質評価プログラムに於いて、前記判定操作検出ステップは、前記テストパターンの表示終了までに残像感の発生操作信号が検出されなかった場合、前記テストパターン表示ステップの表示処理をリトライさせることを特徴とする画質評価プログラム。
【００９７】
（付記１１）
評価対象となる表示装置に、時間の経過に対し移動速度が加速度的に変化するテストパターンを表示するテストパターン表示部と、
前記テストパターンを見ている評価者が残像感を判定した際の判定操作信号を検出する判定操作検出部と、
前記判定操作信号を検出した時の前記テストパターンの移動速度を残像感判定速度として検出する判定速度検出部と、
を備えたことを特徴とする画質評価装置。
【００９８】
（付記１２）
付記１１記載の画質評価装置に於いて、
前記テストパターン表示部は、時間の経過に対し移動速度が加速度的に増加する加速テストパターンと、時間の経過に対し移動速度が加速度的に減少する減速テストパターンを順次表示し、
前記判定操作検出部は、前記加速テストパターンを見ている評価者が残像感が発生したと判定した際の発生操作信号と、前記減速テストパターンを見ている評価者が残像感が終止したと判定した際の終止操作信号を検出し、
前記判定速度検出部は、前記発生操作信号を検出した時の前記加速テストパターンの移動速度を残像感発生速度として検出すると共に、前記終止操作信号を検出した時の前記減速テストパターンの移動速度を残像感終止速度として検出し、前記残像感発生速度と残像感終止速度の平均速度として前記残像感判定速度を算出することを特徴とする画質評価装置。
【００９９】
（付記１３）
付記１１記載の画質評価装置に於いて、更に、前記テストパターン表示部は、前記判定速度検出部で検出された残像感判定速度を中心に所定幅に絞り込んだ速度範囲を設定し、前記速度範囲内で時間の経過に対し移動速度がより低い加速度で変化するテストパターンを表示して前記判定操作検出部及び判定速度検出部の処理を繰り返すことを特徴とする画質評価装置。
【０１００】
（付記１４）
付記１１乃至１３記載の画質評価装置に於いて、前記テストパターン表示部は、前記テストパターンの移動速度を時間の経過に対し等加速度で変化させることを特徴とする画質評価装置。
【０１０１】
（付記１５）
付記１１記載の画質評価装置に於いて、前記判定操作検出部は、前記テストパターンの表示終了までに残像感の発生操作信号が検出されなかった場合、前記テストパターン表示部の表示処理をリトライさせることを特徴とする画質評価装置。
【図面の簡単な説明】
【０１０２】
【図１】本発明による画質評価装置の実施形態を示した画質評価環境の説明図
【図２】図１の実施形態で使用するテストパターン管理テーブルの説明図
【図３】本実施形態で使用するテストパターンと表示画像の説明図
【図４】本実施形態で使用する加速テストパターンと減速テストパターンの特性説明図
【図５】本実施形態による加速テストパターンと減速テストパターンの組合せによる遅延相殺の説明図
【図６】本実施形態の機能を実現するプログラムが実行されるコンピュータのハードウェア環境のブロック図
【図７】本実施形態による残像感測定処理のフローチャート
【図８】高加速度のテストパターンによる測定結果から速度範囲を絞り込む説明図
【図９】図８で絞り込んだ速度範囲における低加速度テストパターンの特性図
【図１０】高加速度と低加速度のテストパターンを段階的に表示して残像感を測定する本発明の他の実施形態を示したフローチャート
【図１１】図１０に続く測定処理のフローチャート
【図１２】従来のＭＰＲＴ法による測定処理の説明図
【符号の説明】
【０１０３】
１０：画質評価環境
１２：画質評価装置
１４：パターンジェネレータ
１６：液晶テレビ
１８：液晶パネル
２０：判定入力機器
２２：評価者
２４：ホスト
２６：制御部
２８：テストパターン表示部
３０：テストパターン管理テーブル
３２：判定操作検出部
３４：判定速度検出部
３６：テストパターン
３８：表示画像
４０，７２：加速特性
４２，４２−１：残像感発生判定点
４４，７４：減速特性
４６，４６−１：残像感終止判定点
４８：残像感判定点
５０：ＣＰＵ
５２：バス
５４：ＲＡＭ
５６：ＲＯＭ
５８：ハードディスクドライブ
６０：デバイスインタフェース
６２：キーボード
６４：マウス
６６：ディスプレイ
６８：ネットワークアダプタ
７０：速度範囲
【図１】
2008042371.tif 000004
【図２】
2008042371.tif 000005
【図３】
2008042371.tif 000006
【図４】
2008042371.tif 000007
【図５】
2008042371.tif 000008
【図６】
2008042371.tif 000009
【図７】
2008042371.tif 000010
【図８】
2008042371.tif 000011
【図９】
2008042371.tif 000012
【図１０】
2008042371.tif 000013
【図１１】
2008042371.tif 000014
【図１２】
2008042371.tif 000015